(57)【特許請求の範囲】
【請求項１】
貯蔵庫本体の上面には冷却器を収容した冷却器室が設けられ、庫内空気が前記冷却器室内を通って循環流通されて庫内が冷却されるようにした冷却貯蔵庫であって、
前記貯蔵庫本体の上面に形成された開口部を覆って装着された合成樹脂製のユニットベースが設けられており、
前記ユニットベースは、冷却器が載置される載置部と同載置部を挟んだ両側に吸込口と吹出口とが配された第１領域と、圧縮機、凝縮器等の冷凍装置を構成する機器等が設置された第２領域とを一体に形成しており、
前記ユニットベースの前記第１領域の上面に下面開放の断熱カバーが被着されており、
前記ユニットベースにおいて前記載置部、前記吸込口及び前記吹出口の回りを囲んだ溝部が形成されており、
この溝部内に断熱材が嵌着されていることを特徴とする冷却貯蔵庫。
【請求項２】
前記ベースに形成された前記溝部の底面が開口され、前記溝部に充填された前記断熱材が、前記貯蔵庫本体の上面における前記開口部の口縁に当接していることを特徴とする請求項１記載の冷却貯蔵庫。
【請求項３】
前記溝部には、内外の側面を連結する複数のリブが間隔を開けて設けられ、前記溝部に嵌着される前記断熱材には、前記リブが挿入される挿入溝が形成されていることを特徴とする請求項２記載の冷却貯蔵庫。
【請求項４】
前記断熱カバーの周壁の開放端が、前記ベースの前記溝部に嵌着されていることを特徴とする請求項１ないし請求項３のいずれか一項に記載の冷却貯蔵庫。
【請求項５】
前記断熱カバーの周壁の開放端側における所定高さ領域が分割され、その分割面に互いに凹凸嵌合する結合部が設けられており、分割された断熱材が前記溝部内に予め嵌着された状態から、前記断熱カバーの周壁の分割面が前記断熱材の分割面に合わせられて結合されていることを特徴とする請求項４記載の冷却貯蔵庫。
【発明の詳細な説明】
【技術分野】
【０００１】
本発明は、冷却貯蔵庫の構造に関する。
【背景技術】
【０００２】
従来、冷蔵庫の上面に装備される冷却器室の一形式として、構造の簡略化と軽量化を図る上から、貯蔵庫本体の上面に形成された開口部を覆って装着される合成樹脂製のベースに対して、冷却器の載置部と同載置部を挟んだ両側に吸込口と吹出口とを形成し、載置された冷却器並びに吸込口と吹出口とを覆うようにして、発泡スチロール等の発泡樹脂製の断熱カバーを被着した構造のものが提案されている（例えば、特許文献１参照）。
【先行技術文献】
【特許文献】
【０００３】
【特許文献１】特開２００４−２５１６０８号公報
【発明の概要】
【発明が解決しようとする課題】
【０００４】
しかしながら上記従来構造のものでは、冷却器の冷熱が、載置部から、断熱カバーの外側に出て外部に露出しているベースの周縁部にまで伝わりやすく、冷気洩れに繋がり、また同ベースの周縁部で結露が生じるという問題があった。  
本発明は上記のような事情に基づいて完成されたものであって、その目的は、ベースの周縁部での冷気洩れを抑えるところにある。
【課題を解決するための手段】
【０００５】
本発明は、貯蔵庫本体の上面には冷却器を収容した冷却器室が設けられ、庫内空気が前記冷却器室内を通って循環流通されて庫内が冷却されるようにした冷却貯蔵庫の前記冷却器室であって、前記貯蔵庫本体の上面に形成された開口部を覆って装着され、前記冷却器が載置される載置部と同載置部を挟んだ両側に吸込口と吹出口とが設けられた合成樹脂製のベースと、このベースの上面に被着される下面開放の断熱カバーと、前記ベースにおいて前記載置部、前記吸込口及び前記吹出口の回りを囲んで形成された溝部と、この溝部内に嵌着された断熱材と、が具備されているところに特徴を有する。  
冷却器の冷熱が載置部からベースの周縁部に伝達しようとするのが、溝部に嵌着された断熱材で遮断され、すなわち冷熱が伝わり難くなる。そのため、外部への冷気洩れが抑えられて冷却性能が低下することが防止され、またベース周縁部への結露も防止される。
【０００６】
また、以下のような構成としてもよい。  
（１）前記ベースに形成された前記溝部の底面が開口され、前記溝部に充填された前記断熱材が、前記貯蔵庫本体の上面における前記開口部の口縁に当接している。溝部の内側から外側への熱伝達がさらに遮断される。  
（２）前記溝部には、内外の側面を連結する複数のリブが間隔を開けて設けられ、前記溝部に嵌着される前記断熱材には、前記リブが挿入される挿入溝が形成されている。溝部の内側から外側への熱伝達を小さく抑えた上で、構造的な増強が図られる。また、リブと嵌合溝との嵌合により断熱材が溝部内に強固に保持される。
【０００７】
（３）前記断熱カバーの周壁の開放端が、前記ベースの前記溝部に嵌着されている。断熱カバーの開放端の周壁をベースの溝部に嵌めるだけで、載置部等の回りに断熱層が形成されるとともに、冷却器室も自ずから構成される。  
（４）前記断熱カバーの周壁の開放端側における所定高さ領域が分割され、その分割面に互いに凹凸嵌合する結合部が設けられており、分割された断熱材が前記溝部内に予め嵌着された状態から、前記断熱カバーの周壁の分割面が前記断熱材の分割面に合わせられて結合されている。  
断熱カバーの開放端の周壁の分割面を、溝部の上部位置まで上がった断熱材の分割面に合わせて結合すればよいから、断熱カバーの開放端の周壁を溝部の底部まで押し込む場合と比較すると、断熱カバーの着脱の作業がしやすくなる。
【発明の効果】
【０００８】
本発明によれば、ベースの周縁部において冷気が洩れることを極力抑えることができる。
【図面の簡単な説明】
【０００９】
【図１】本発明の実施形態１に係る低温貯蔵庫の正面図
【図２】同側面図
【図３】ユニットベースの平面図
【図４】図３のIV−IV線断面図
【図５】同斜視図
【図６】断熱カバーの斜視図
【図７】ユニットベースに冷凍回路が搭載された状態の平面図
【図８】同斜視図
【図９】冷却器室の設置部分における分解断面図
【図１０】冷却器室が形成された状態の断面図
【図１１】実施形態２に係る冷却器室の設置部分における分解断面図
【図１２】その冷却器室が形成された状態の断面図
【発明を実施するための形態】
【００１０】
＜実施形態１＞
本発明の実施形態１を図１ないし図１０によって説明する。この実施形態では、穀物等を貯蔵する低温貯蔵庫を例示している。  
図１及び図２において、符号１０は貯蔵庫本体であって、前面開口の縦長の断熱箱体により形成されて内部が貯蔵室１１となっており、底面に配された脚１２によって支持されているとともに、前面の出入口に断熱扉１３が揺動開閉可能に装着されている。  
貯蔵庫本体１０の上面には、冷却ユニット１５が設置されている。この冷却ユニット１５は、図８及び図１０に参照して示すように、ユニットベース２０上における一側に、冷却器５０が収容された断熱性の冷却器室３０が設けられているとともに、他側に冷凍装置８０が設置されており、これらの上方がケース９５で覆われた構造となっている。
【００１１】
ユニットベース２０は、ＡＢＳ樹脂等の合成樹脂製であって、図３ないし図５に示すように、当該貯蔵庫本体１０の奥行方向にやや長い平面長方形をなす略浅皿状に形成されており、奥側（図４の右側）の略半分が冷却器室３０等を設けるための第１領域２１Ａで、残りの手前側が冷凍装置８０等を設置するための第２領域２１Ｂとなっている。前後の周壁の下端からは、ねじの挿通孔２３Ａが形成された取付板２３が張り出し形成され、貯蔵庫本体１０の上面にねじ止めできるようになっている。
【００１２】
第１領域２１Ａ側では、正面から見た左端部に小幅の収容室２５が形成されているとともに、残りの右側領域に、平面視で左右方向（横方向）にやや長い長方形をなす冷却器室３０の基部３１が形成されている。  
なお収容室２５は、後記する蒸発皿７０とは隔離された深皿状をなし、配線やコネクタ等をまとめて収容可能であり、ケース９５を外した場合でも配線がばらけず、水にも濡れないようになっている。  
冷却室の基部３１の周縁には、外壁３２が全周に亘って形成されているとともに、この外壁３２の内側には、平面視で外壁３２よりも一回り小さい横長の長方形をなし、ただし同外壁３２よりも背の高い内壁３３が、間隔を開けてほぼ同心に形成されている。外壁３２と内壁３３とは、それぞれ手前側の壁面の横幅方向の中央部同士が、内壁３３と同じ高さの厚肉の連結壁３５によって連結されている。これにより、外壁３２と内壁３３との間には、後記する断熱カバー５５の下端部を嵌めるための上下両面に開口した方形の環形溝３７が形成されている。なお、連結壁３５の上面には、冷媒配管８６等を逃がすほぼ半円形の凹面３５Ａが形成されている。  
また、環形溝３７の底部側では、周方向の適宜間隔を開けた位置ごとに、内外の側面に亘る板状のリブ３８が形成され、これにより形状保持のための補強がなされている。
【００１３】
貯蔵庫本体１０の上面壁１０Ａにおける奥側に寄った位置には、図１０に示すように、横長の長方形をなす開口部１４が形成されており、ユニットベース２０が正規位置に取り付けられた際には、冷却器室３０の基部３１における内壁３３の下縁が、上記した開口部１４の上側の口縁に整合して当接するようになっている。言い換えると、内壁３３の内部と開口部１４内とが整合して連通した状態となる。  
内壁３３内の上面部には、その横幅方向の中央部に冷却器５０等の載置部を兼ねたドレンパン４０が形成されているとともに、その右側と左側には吸込口４１と吹出口４２とが形成されている。吸込口４１と吹出口４２とには、それぞれルーバ４３が形成されている。
【００１４】
ドレンパン４０は、図４に示すように、全周に周壁を巡らせた全体としては平面方形をなす皿状に形成されており、ただし、その底面４０Ｂは、正面から見た左手前の角付近が最も低位置となって周りから同位置に向けて下り勾配となるように傾斜して形成されている。  
ユニットベース２０の第２領域２１Ｂには、後記するように蒸発皿７０が形成されており、上記した基部３１の外壁３２における手前側の壁面が、蒸発皿７０の奥側の壁面７０Ｒを兼ねている。  
そして、ドレンパン４０の手前側の周壁４０Ｆにおける左端に寄った位置、詳細には上記した連結壁３５の左隣の位置に排水口４５が切り欠き形成され、同排水口４５から蒸発皿７０の奥側の壁面７０Ｒに亘るように排水路４６が形成されている。排水路４６の底面には、ドレンパン４０の底面４０Ｂの傾斜に倣った先下がりの勾配が付けられている。
【００１５】
ドレンパン４０の底面４０Ｂ上には、右側のほぼ２／３の領域に冷却器５０が、左側の残りの領域に冷却ファン５１がそれぞれ設置されている。冷却器５０は、底面４０Ｂから立てられた４本の支持台４７に、下面の四つ角を嵌めることで支持されている。  
冷却ファン５１はファンモータからなり、ドレンパン４０の左側の壁面の内面側に設けられた支持台４８に下端部を挿入することにより、軸線を左右方向に向けた姿勢において支持されている。
【００１６】
上記した基部３１の上面を覆って断熱カバー５５が被着されることによって、冷却器室３０が形成されるようになっている。断熱カバー５５は、発泡スチロール等の発泡樹脂製の断熱材によって形成されており、図６及び図９に示すように、厚肉で下面に開口した方形の箱状に形成されている。  
断熱カバー５５の周壁５６の下端部は、上記した基部３１の環形溝３７の底までほぼ緊密に嵌合されるようになっている。そのため断熱カバー５５の周壁５６の下端面には、上記した連結壁３５と排水路４６とを逃がす逃がし溝５７が形成されている。この逃がし溝５７の天面のうち、連結壁３５の上面と対応する位置にはほぼ半円形をなす凹面５８Ａが形成され、排水路４６の上面と対応する位置には、フラットな閉鎖面５８Ｂが形成されている。  
断熱カバー５５の周壁５６の下端面には、環形溝３７の底部側に形成されたリブ３８を全高に亘って挿入して逃がす逃がし溝６０が形成されている。  
なお、断熱カバー５５の内面には、正規に被着された場合に、冷却器５０の吹き出し側の面（左側面）において、冷却ファン５１の前後両面を覆うガイド部６１や、冷却器５０と冷却ファン５１の上面を押さえる押圧部６２等が形成されている。
【００１７】
ユニットベース２０の第２領域２１Ｂ側には、ほぼ全域に亘って蒸発皿７０が形成されている。蒸発皿７０は、周縁に周壁を巡らせた上面開放の皿状であって、横長の長方形の右手前の隅部を欠落させた平面形状に形成され、図４に示すように、ユニットベース２０の底面から少し浮いた形態で設けられている。  
欠落部分には、電装箱７１の本体部７２Ａが一体形成されている。本体部７２Ａは、電装箱７１における底面と、前面及び左右の側面の３側面を構成するものであり、この本体部７２Ａに対して後面と上面とを塞ぐＬ型蓋７２Ｂ（図８参照）が被着されることで、電装箱７１が形成されるようになっている。電装箱７１の底面は、蒸発皿７０の周壁よりも高い位置にあり、また、蒸発皿７０との間には溝７３が設けられて距離が取られていることによって、仮に蒸発皿７０から水が溢れても電装箱７０に浸水することが回避されるようになっている。また、同電装箱７１の前面壁には表示部７４が設けられていて、図１に示すように、ケース９５の前面に設けられた窓孔９９から同表示部７４が臨めるようになっている。
【００１８】
蒸発皿７０の内部には、圧縮機８１、凝縮器ファン８３付きの凝縮器８２、ドライヤ８４、キャピラリチューブ８５等からなる冷凍装置８０が設置されている。  
圧縮機８１は、蒸発皿７０の左側の広い領域において、下面に設けられた４本の脚を、方形に配された支持部８７にそれぞれ固定することで、底面から浮いた形態で設置されている。蒸発皿７０の右側の狭い領域には、右側に凝縮器８２が、その左側に軸線を左右方向に向けた凝縮器ファン８３が、それぞれ支持部８８，８９に載せられて、同じく底面から浮いた形態で設置されている。  
蒸発皿７０の左側壁の上縁部にはオーバフロー溝９１が形成されているとともに、蒸発皿７０の左右両側には把手部９２が形成されている。
【００１９】
ケース９５は、ユニットベース２０と同様にＡＢＳ樹脂等の合成樹脂であって、ユニットベース２０の上方を全域に亘って覆うことができる下面開放の箱形に形成されており、前後の側面の下端からは、上記したユニットベース２０の取付板２３の上面に重なるようにして、同じくねじの挿通孔が形成された取付板９６が張り出し形成されている。  
また、ケース９５の右側面と左側面には、それぞれ冷却風の吸気口９７と排気口（図示せず）とが形成されているとともに、両側面の下端には、ユニットベース２０に設けられた把手部９２を外部に臨ませる窓孔９８が切り欠き形成されている。
【００２０】
冷却ユニット１５は、以下のような手順で組み付けられて設置される。  
ユニットベース２０に設けられた蒸発皿７０内に、圧縮機８１と凝縮器８２とが取り付けられるとともに、ドレンパン４０内に冷却器５０が取り付けられる。この状態から、図７に示すように、圧縮機８１、凝縮器８２、ドライヤ８４、キャピラリチューブ８５及び冷却器５０が冷媒配管８６によって循環接続され、冷凍回路が構成される。冷媒配管８６のうち冷却器５０に対して出し入れされる冷媒配管８６は、連結壁３５の凹面３５Ａに載せられる。  
次に、蒸発皿７０内の凝縮器８２の隣に凝縮器ファン８３が取り付けられるとともに、ドレンパン４０内の左側縁部に冷却ファン５１が設置される。
【００２１】
続いて、ユニットベース２０に設けられた基部３１に対して断熱カバー５５が被着される。それには、断熱カバー５５を所定の向きにして、周壁５６の下端部が基部３１に形成された環形溝３７に嵌合される。断熱カバー５５の周壁５６の下端部は、連結壁３５と排水路４６とを逃がし溝５７に嵌め、また、環形溝３７の底部側に設けられた補強用のリブ３８を対応する逃がし溝６０に挿入して逃がしつつ押し込まれ、逃がし溝６０の奥面がリブ３８に当たったところで押し込みが停止される。  
このとき、断熱カバー５５の周壁５６の下端面が、環形溝３７の開口した底面よりも若干突出する。また、逃がし溝５７の天面の凹面５８Ａと、連結壁３５の上面の凹面３５Ａとが合わさって円形の挿通孔が形成され、冷媒配管８６が同挿通孔内にほぼ緊密に挿通された状態となるとともに、排水路４６の上面が、逃がし溝５７の天面の閉鎖面５８Ｂで塞がれる。
【００２２】
また、ドレンパン４０の下面側には、発泡スチロール等の発泡樹脂により予め成形されたブロック状の断熱材４４が嵌着される。それとともに、電装箱７１の本体部７２ＡにＬ型蓋７２Ｂが被着される。  
最後に、ケース９５が被せられる。ケース９５は、前後の取付板９６がユニットベース２０の取付板２３に重なった状態で、ユニットベース２０の上方を全域に亘って覆った状態で被せられ、このとき左右の側面の窓孔９８に把手部９２が臨んだ状態となる。また、ケース９５の天面が、冷却器室３０の断熱カバー５５の上面に当てられる。
【００２３】
このように組み付けられた冷却ユニット１５は、貯蔵庫本体１０の上面に設置される。それに先立ち、貯蔵庫本体１０の上面に形成された開口部１４の口縁部に、断熱カバー５５の周壁５６の下端の厚さに匹敵する幅を持ったスポンジシート（図示せず）が、全周に亘って貼り付けられる。  
冷却ユニット１５は、両把手部９２に手を掛けて持ち上げられ、図１０に示すように、冷却器室３０の基部３１における内壁３３の内部が開口部１４と整合した状態で、貯蔵庫本体１０の上面に載せられる。そして、ケース９５とユニットベース２０の取付板９６，２３が重なった状態で、ねじで共締めされることによって固定される。  
このとき、冷却器室３０を構成する断熱カバー５５がケース９５で押さえられた状態となって、周壁５６の下面が開口部１４の口縁部（スポンジシート）に押し付けられる。
【００２４】
冷却運転は、冷凍装置８０（圧縮機８１、凝縮器ファン８３）と、冷却ファン５１とが駆動されることで行われ、図１０の矢線に示すように、庫内空気が吸込口４１から冷却器室３０内に吸い込まれて、冷却器５０を通過する間に熱交換により冷気が生成され、その冷気が吹出口４２から貯蔵室１１に吹き出されるといった循環供給が行われることで、貯蔵室１１内が冷却される。この間、吸込口４１側のルーバ４３に装備された庫内サーミスタ（図示せず）によって庫内温度が検知され、その検知温度が予め定められた設定温度よりも高いか低いかによって、冷凍装置８０と冷却ファン５１のオンオフが制御され、これにより貯蔵室１１内がほぼ設定温度に維持される。
【００２５】
また、適宜の時間間隔を開けて除霜運転が行われる。ここでは、冷凍回路に設けられた切換弁の操作等により、圧縮機８１から吐出されたホットガスがホットガス管（図示せず）を通って冷却器５０に循環供給され、冷却器５０が加熱されることで付着した霜が融かされ、除霜水はその下方に配されたドレンパン４０上に滴下する。滴下した除霜水は、底面４０Ｂの傾斜に倣って最下部である排水口４５に向けてスムーズに導かれ、排水路４６に沿って流下したのち奥側の壁面７０Ｒの手前側から蒸発皿７０内に排水される。  
蒸発皿７０内に貯留された除霜水は、冷却運転に戻った際に、圧縮機８１や凝縮器８２からの発熱を受けて強制蒸発され、またこの間、凝縮器ファン８３により外気が吸引されて、凝縮器８２続いて圧縮機８１を冷却したのちの排熱が、ケース９５の左側面の排気口から排出され、外気が蒸発皿７０の上面を通過することから、さらに蒸発が促されるとともに、蒸発皿７０から立ち上った蒸気は、外気の流れを受けて排気口から排出されるところとなる。
【００２６】
以上説明したように本実施形態によれば、ユニットベース２０に対して蒸発皿７０や、冷却器５０の載置部となるドレンパン４０等を含む冷却器室３０の基部３１を合成樹脂材により一体成形しているから、部品点数と組み立て工数の削減が図られ、また清掃の作業性も向上する。  
ここで上記のように、ユニットベース２０に対して、冷却器５０を載置するドレンパン４０等を有する冷却器室３０の基部３１が一体に形成されているのであるから、冷却器５０の冷熱が、外部に露出する基部３１の周縁部や取付板２３に伝達しようとするが、ドレンパン４０並びに吸込口４１、吹出口４２の周りに環形溝３７が形成されて、同環形溝３７内に、断熱材である断熱カバー５５の周壁５６の下端部が嵌着されているから、同断熱材で遮断されて冷熱が伝わり難くなる。そのため、外部への冷気洩れが抑えられて冷却性能が低下することが防止され、また基部３１の周縁部への結露も防止される。  
特に、環形溝３７の底面を開口して、断熱材である断熱カバー５５の周壁５６の下面を、貯蔵庫本体１０の上面の開口部１４の口縁部に当てる構造としたから、同環形溝３７の内側から外側への冷熱の伝達がさらに有効に遮断される。
【００２７】
環形溝３７の底部には、内外の側面を連結する複数枚の板状リブ３８が間隔を開けて設けられる一方、断熱カバー５５の周壁の下端部には、上記のリブ３８が挿入される逃がし溝６０が形成された構造となっている。リブ３８を設けたことで構造的な増強が図られる一方で、環形溝３７の内外の面を小面積で接続しただけであるから、熱の伝わりやすさの上昇は、最小限に抑えられる。また、断熱カバー５５の周壁５６が環形溝３７内に強固に固定され、断熱カバー５５がぐらついたり、圧縮機８１の振動等を受けて隙間ができることが防止される。リブ３８自体は縦向きの板物であるから、成形型を簡易構造として成形することができる。  
また、断熱カバー５５の周壁５６の下端部を基部３１の環形溝３７に嵌めるだけで、冷却器５０の載置部分の回りに断熱層が形成されるとともに、冷却器室３０も自ずから構成されるのであるから、組付工程が簡略化される。
【００２８】
＜実施形態２＞
図１１及び図１２は、本発明の実施形態２を示す。  
この実施形態２では、ユニットベース２０に設けられた冷却器室３０の基部３１に形成された環形溝３７が、底板１００が張られた形状となっている。  
一方、断熱カバー５５Ａの周壁５６Ａは、下端部の所定高さ部分が分割されたような形態となっており、分割された断熱材１０１の上面には、位置決め用の突条１０２が全周に亘って形成され、断熱カバー５５Ａの周壁５６Ａの分割されて残った下面には、上記した突条１０２が緊密に嵌る凹溝１０３が、全周に亘って対応して形成されている。  
その他の構造については、上記実施形態１と同様であって、同一機能を有する部材、部位については、実施形態１と同一符号を付すことで、重複した説明は省略する。
【００２９】
この実施形態では、環形溝３７内に、分割された形態の断熱材１０１が、大半の深さ部分に亘って予め装着され、そののち、断熱カバー５５Ａの周壁５６Ａの下端が、突条１０２を凹溝１０３に嵌めて位置決めしつつ、断熱材１０１の上面に重なるようにして環形溝３７内に嵌められる。  
断熱カバー５５Ａの周壁５６Ａの下端を環形溝３７に嵌めるに当たって、同周壁５６Ａの下面を、環形溝３７の上部位置まで上がった断熱材１０１の上面に合わせて結合すればよいから、断熱カバーの周壁の下端部を環形溝３７の底部まで押し込む場合と比較すると、断熱カバー５５Ａの着脱の作業がしやすくなる。
【００３０】
＜他の実施形態＞
本発明は上記記述及び図面によって説明した実施形態に限定されるものではなく、例えば次のような実施形態も本発明の技術的範囲に含まれる。  
（１）上記実施形態では、冷却器室の基部の環形溝に嵌合する断熱材として、断熱カバーの周壁の下端部そのもの、または同下端部から分割されたものを嵌合する場合を例示したが、断熱カバーとは全く別の断熱材を嵌合するようにしてもよい。  
（２）実施形態１に例示した環形溝に断熱カバーの周壁の下端部を嵌合する形式のものにおいて、環形溝に底板を設けた構造としてもよい。逆に、実施形態２に例示した分割された断熱材を環形溝に嵌合する形式のものにおいて、底板を除去して、同断熱材を開口部の口縁部に直接に接触させる構造としてもよい。
【００３１】
（３）上記実施形態に例示した冷却ユニットの組み付け並びに設置手順はあくまでも一例であって、例えばユニットベースを先に貯蔵庫本体の上面に設置してから、断熱カバーを被せて冷却器室を構成する等、必要に応じて任意に変更することができる。  
（４）本発明は、冷却器室が冷凍装置とは別に取り付けられるもの、すなわちユニット化されていないものにも同様に適用可能である。
【００３２】
（５）本発明は、上記実施形態に例示した低温貯蔵庫に限らず、冷蔵庫、冷凍庫、急速凍結庫等の冷却貯蔵庫全般に装備された冷却器室に対して適用することができる。  
（６）なお、電装箱の形成部分の構造において、ユニットベース側から背の高い上面開口の本体部を一体形成する一方、ケースの天面に蓋部を一体形成し、ユニットベースを覆ってケースを被着することに併せて、本体部の上面開口を蓋部で閉じることにより、閉鎖した電装箱が構成されるようにしてもよい。
【符号の説明】
【００３３】
１０…貯蔵庫本体  １０Ａ…上面壁  １４…開口部  ２０…ユニットベース  ３０…冷却器室  ３１…基部（ベース）  ３７…環形溝（溝部）  ３８…リブ  ４０…ドレンパン（載置部）  ４１…吸込口  ４２…吹出口  ５０…冷却器  ５１…冷却ファン  ５５…断熱カバー  ５５Ａ…断熱カバー  ５６…（断熱カバー５５の）周壁（断熱材）  ５６Ａ…（断熱カバー５５Ａの）周壁  ６０…逃がし溝（嵌合溝）  １０１…断熱材  １０２…突条（結合部）  １０３…凹溝（結合部）
【図１】
0005441517.tif 000002
【図２】
0005441517.tif 000003
【図３】
0005441517.tif 000004
【図４】
0005441517.tif 000005
【図５】
0005441517.tif 000006
【図６】
0005441517.tif 000007
【図７】
0005441517.tif 000008
【図８】
0005441517.tif 000009
【図９】
0005441517.tif 000010
【図１０】
0005441517.tif 000011
【図１１】
0005441517.tif 000012
【図１２】
0005441517.tif 000013